(57)【要約】【課題】  施封装置に紙帯印刷部を設け、紙幣判別部で判別した券種に関する各種情報（券種、合計金額、銀行名等）及び各券種に応じた色を紙帯にカラーで印刷することにより、操作員が紙帯を間違えて使用するなどの障害を防止した紙幣処理装置を提供する。【解決手段】  紙幣Ｂを判別する紙幣判別部と、この紙幣判別部の判別結果により反転部３、４５で搬送される紙幣の向きを変えて紙幣の搬送方向を揃え、さらに、この紙幣判別部の判別結果によって指定された券種毎の紙幣Ｂを第１集積部４０１、又は第２集積部４０２に集積する。これら集積部に集積した所定枚数毎の紙幣４１２を一括して帯巻き部４１０に搬送する。搬送された紙幣４１２は、当該紙幣の券種を含む属性を印刷部４０９によってカラーで印刷した紙帯４０８を用いて帯巻き部４１０で一括して施封される。【選択図】  図１
2005096896.tif 000002
【特許請求の範囲】
【請求項１】
複数の紙幣を一括して供給する供給部と、
この供給部から供給される前記紙幣を搬送する搬送路と、
この搬送路に設けられ、前記紙幣の券種と搬送方向とを判別する紙幣判別部と、
前記紙幣判別部の判別結果により搬送される前記紙幣の搬送方向を変えて同じ搬送方向に揃える反転処理部と、
前記紙幣判別部の判別結果により券種毎に前記紙幣を集積する集積部と、
この集積部に所定枚数集積された前記紙幣を紙帯で施封する施封部と、
前記紙幣判別部の判別結果により前記施封部で施封した紙幣の券種を含む属性情報を前記紙帯にカラー印刷する印刷部と
を備えたことを特徴とする紙幣処理装置。
【請求項２】
前記集積部を複数個設け、その集積部の紙幣投入口の振り分けゲートによって、一方の集積部に集積した前記紙幣が所定数に達したとき、他方の集積部に前記紙幣が集積されるように搬送を振り分けることを特徴とする請求項１記載の紙幣処理装置。
【請求項３】
前記施封部は、
前記集積部に所定数集積した紙幣を一括して挟持する紙幣抑え機構と、
前記紙幣抑え機構を上下方向に搬送する縦搬送路と、
前記縦搬送路の下方停止位置に搬送された前記紙幣を受け取る搬送キャリアと、
前記搬送キャリアを左右に移動する横搬送路と、
前記横搬送路の停止位置に搬送された前記紙幣に前記紙帯を巻く帯巻き部を有し、
前記搬送キャリアに前記施封用券種の紙幣を積載して、前記横搬送路に搬送し、前記帯巻き部に一括して受け渡すようにしたことを特徴とする請求項１又は請求項２記載の紙幣処理装置。
【請求項４】
前記反転処理部は、
前記紙幣判別装置の搬送方向下流に配置され前記紙幣の表裏及び搬送方向を反転するスイッチバック反転部と、
前記紙幣判別装置の搬送方向下流に配置され前記紙幣の表裏を反転する表裏反転部と
を備え、前記スイッチバック反転部によるスイッチバック反転処理と前記表裏反転部による表裏反転処理の、少なくともいずれか一方の処理により前記紙幣の搬送方向を１方向に揃えて前記集積部に集積するようにしたことを特徴とする請求項１記載の紙幣処理装置。
【発明の詳細な説明】
【技術分野】
【０００１】
本発明は、紙幣などの紙葉類を紙帯で施封する施封装置、及び施封される券種の紙幣の属性を当該紙帯に印刷する印刷部を配置した紙幣処理装置に関する。
【背景技術】
【０００２】
従来、搬送される紙幣などの紙葉類を処理する処理装置は、表裏及び上下がランダムな状態で投入された大きさの異なる複数の紙葉類を搬送路上に１枚ずつ取り出し、その搬送路上に設けられる検出部によって券種や搬送される紙幣の向き（以下、搬送方向と称する）が判別される。この判別結果に基づいて搬送路上に設けられた複数のゲートが切り換えられて、更に、例えば、施封をするように指定された券種の紙葉類は、スイッチバック反転機構や表裏反転機構により搬送方向が揃えられて、オンライン施封装置に搬送される。そして、このオンライン施封装置によって、券種毎に異なる色の紙帯を用いて施封されていた。
【０００３】
すなわち、このオンライン施封装置は、この施封装置に供給される紙葉類を指定枚数（通常１００枚）になるまで計数し集積する集積部と、この集積された紙葉類を搬送し、当該施封対象の紙葉類に予め指定された色の紙帯で自動的に施封する施封部とで構成される。
【０００４】
従って、例えば２種類の券種の紙幣を施封する場合は、集積部及び施封部を１セットとする施封装置を２セット組み込んで、それぞれの施封装置に施封する券種に対応する紙帯をセットし、それぞれの施封装置で施封していた。また、施封装置が１セットの場合は、一方の券種に対応する紙帯を施封装置に組み込み、当該紙幣を所定の紙帯で施封した後、この施封装置の紙帯を他方の券種の紙帯に交換して当該他方の券種の紙幣を搬送して施封を行っていた（例えば、特許文献１参照。）。
【特許文献１】特開平５−６４７８号公報（第２頁、図１）
【発明の開示】
【発明が解決しようとする課題】
【０００５】
しかし、このような従来の構成では、施封する券種を換える毎に、施封する券種（以下、施封用券種と称する）の色が印刷された紙帯に交換する作業を操作員が行う必要があるため操作員の手間がかかり、また、操作員のミスにより施封用券種に対して違う色の紙帯を間違えて使用してしまう問題があった。
【０００６】
従って、本発明は上記問題点を解決するためになされたもので、施封装置に紙帯印刷部を設け、施封用券種の紙幣に関する各種情報（券種、合計金額、銀行名等）を紙帯にカラーで印刷することにより、操作員が紙帯を間違えて使用するなどの障害を防止した紙幣処理装置を提供することを目的とする。
【課題を解決するための手段】
【０００７】
本発明は上記目的を達成するために、請求項１記載の発明は、複数の紙幣を一括して供給する供給部と、この供給部から供給される前記紙幣を搬送する搬送路と、この搬送路に設けられ、前記紙幣の券種と搬送方向とを判別する紙幣判別部と、前記紙幣判別部の判別結果により搬送される前記紙幣の搬送方向を変えて同じ搬送方向に揃える反転処理部と、前記紙幣判別部の判別結果により券種毎に前記紙幣を集積する集積部と、この集積部に所定枚数集積された前記紙幣を紙帯で施封する施封部と、前記紙幣判別部の判別結果により前記施封部で施封した紙幣の券種を含む属性情報を前記紙帯にカラー印刷する印刷部とを備えたことを特徴とする。
【発明の効果】
【０００８】
本発明によれば、施封装置に紙帯印刷部を設け、施封するように指定した施封用券種に関する各種情報（券種、合計金額、銀行名等）及び施封用各券種に応じた色を紙帯にカラーで印刷することにより、操作員が紙帯を間違えて使用するなどの障害を防止した紙幣処理装置を提供することができる。
【発明を実施するための最良の形態】
【０００９】
以下、図面を参照して本発明の実施例を説明する。
【実施例】
【００１０】
以下、本発明の実施例を図１乃至図６を参照して説明する。
【００１１】
図１は、本発明による紙幣処理装置の概略断面図である。この紙幣処理装置は紙幣処理部１と主制御部５１とで構成される。紙幣処理部１は、複数券種の、サイズの異なる複数枚の紙幣Ｂを混在させて一括して投入したものに対し、主制御部５１からの指定に基づき全ての紙幣Ｂの搬送方向を、例えば、表面で正立した状態に揃えて券種毎に分類するものである。この際、主制御部５１から指定した券種の紙幣は施封部４で施封し、その他の券種の紙幣は収納庫６０〜６５に集積する。
【００１２】
ここで、紙幣Ｂの搬送方向について説明する。紙幣Ｂは、表（Ｆ：表を上にした状態）、裏（Ｂ：裏を上にした状態）、正（Ｆ：紙幣の表もしくは裏の印刷が正立した状態）、逆（Ｒ：紙幣の表もしくは裏の印刷が倒立した状態）の４種類あり、これらを組み合わせた表正ＦＦ、表逆ＦＲ、裏正ＢＦ、裏逆ＢＲからなる４種類の搬送方向が形成される。
【００１３】
紙幣処理部１は、紙幣Ｂを供給する供給部１０と、この供給部から供給された紙幣Ｂを搬送する搬送路１６と、搬送される紙幣Ｂの搬送ピッチを補正する搬送ピッチ補正部２と、このようにして搬送された紙幣Ｂを一枚ずつ判別する紙幣判別装置１９と、この紙幣判別装置１９の判別結果に基づき紙幣の搬送方向を揃えるために反転するスイッチバック反転部３、表裏反転部４５と、揃えられた紙幣を施封する施封部４、及び揃えられた紙幣を券種毎に収納する収納庫６０〜６５とで構成される。
【００１４】
また、紙幣処理部１はインターフェース５０を介して主制御部５１に接続されている。
【００１５】
供給部１０は、４種類の搬送方向が混在する紙幣Ｂを当接して整位するステージ１１と、ステージ１１に対して鉛直方向に立設したバックアッププレート１２とで構成されている。また、このバックアッププレート１２は、バネ１３の付勢力によってステージ１１に沿って左側に移動可能になっている。このようにして供給された紙幣Ｂは、バックアッププレート１２により取出ローラ１４側に圧接される。
【００１６】
取出ローラ１４は、回転しながら、圧接された紙幣Ｂを１枚ずつ取り出し、搬送路１６に供給する。供給された紙幣Ｂは、搬送ローラ１５に取り込まれ、搬送ピッチ補正装置２に供給される。
【００１７】
搬送ピッチ補正部２は、搬送ローラ１５の搬送方向下流に近接して設置されて紙幣を検知するタイミングセンサＳＣ１と、搬送ローラ駆動モータ２０２からの駆動力によって回転速度を可変することができる搬送ローラ２０１と、この搬送ローラ２０１に対向配置されたピンチローラ２００及び搬送ローラ駆動モータ２０２を制御する搬送ピッチ制御部（図示なし）とで構成される。
【００１８】
図２は、紙幣判別装置１９及び主制御部５１の構成を示すブロック図である。紙幣判別装置１９は、紙幣Ｂの判別を行う紙幣判別部２０と、搬送される紙幣Ｂの行き先を決定する搬送制御部３０とで構成される。
【００１９】
紙幣判別部２０は、紙幣Ｂの材質に関わる光学的特性や磁気的特性を検出するための複数のセンサ１〜ｎ、これらセンサ１〜ｎの出力信号を増幅する増幅回路１〜ｎ、この増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から真偽（本物か偽物か）、正損（正券か損券か）を判別する他、紙幣判別部２０の全体を制御するＣＰＵ２１と、このＣＰＵ２１によってアクセスされる記憶部２５、及びＣＰＵ２１で判別された結果やデータを主制御部５１との間で通信するためのＩ／Ｆ部２２とで構成される。
【００２０】
また、搬送制御部３０は、紙幣判別部２０の判別結果により、搬送される紙幣Ｂの行き先を決定して、紙幣Ｂの搬送制御を行うＣＰＵ３１と、このＣＰＵ３１によってアクセスされる記憶部３３と、紙幣判別部２０とのＩ／Ｆ部３２とで構成される。
【００２１】
図１の振分ゲートＧ１は、例えば、リジェクト券と、処理券とに振り分けるゲートである。リジェクト券とは、紙幣判別部２０で判別された紙幣Ｂが偽券または折れ、破れ、スキューなどにより判別のできない「判別不能券」を指し、その判別信号を搬送制御部３０が受信すると、振分ゲートＧ１を右側（時計方向）に回動することにより、判別不能券をリジェクト集積部８０に集積する。
【００２２】
また、「処理券」とは、紙幣判別部２０で判別された紙幣Ｂが真券で正券（再流通可能券）、又は真券で損券（流通不能券）を指し、その判別信号を搬送制御部３０が受信すると、振分ゲートＧ１を左側（反時計方向）に回動する。
【００２３】
反転処理部は、スイッチバック反転部３及び表裏反転部４５で構成され、取り揃える方向によりこれら反転部３、４５の一方、若しくは両方が使用される。
【００２４】
スイッチバック反転部３は、搬送ローラ対３００、３０１の搬送方向下流に近接して設置されて紙幣Ｂを検知するタイミングセンサＳＣ２と、このタイミングセンサＳＣ２の搬送方向下流に近接して設置された振り分けゲートＧ１０、Ｇ１１と、反転処理部取り込みローラ３０２、３０３によって反転部３１１に取り込まれる。
【００２５】
反転部３１１は、取り込んだ紙幣Ｂを図示矢印Ａ３１の方向に搬送するために正回転する逆転ローラ３０４及びピックアップローラ３０５と、この逆転ローラ３０４を駆動する逆転ローラ駆動モータ３１０と、搬送ローラ３０６、３０７とで構成される。
【００２６】
また、反転部３１１に取り込んだ紙幣Ｂを反転するために図示矢印Ａ３２の方向に搬送し、スイッチバック反転部３から放出するための搬送ローラ３０８、３０９が設けられている。
【００２７】
ここで、逆転ローラ３０４は、紙幣Ｂを図示矢印Ａ３１の方向に搬送する場合は正回転し、図示矢印Ａ３２の方向に搬送する場合は逆回転する。
【００２８】
振分ゲートＧ２は、表裏正逆振分ゲートである。紙幣判別部２０で判別された紙幣Ｂの搬送方向の結果に基づき、表裏反転を必要とする場合に右側（時計方向）に回動され、紙幣Ｂは図示矢印Ａ６で示す表裏反転部４５を通過する。また、表裏反転を必要としない場合、振り分けゲートＧ２は、左側に回動され、紙幣Ｂは図示矢印Ａ４で示す方向に搬送される。
【００２９】
表裏反転部４５は、紙幣判別装置１９の紙幣判別部２０で判別された紙幣Ｂの搬送方向の表裏を反転する。例えば搬送方向が裏逆（ＢＦ）の場合、表裏反転機構４５によって表正ＦＦになる。
【００３０】
振り分けゲートＧ３は、搬送される紙幣Ｂを施封部４と収納庫６０〜６５に振り分ける振り分けゲートである。搬送される紙幣Ｂが主制御部５１によって施封するように指定された券種の場合、搬送制御部３０は、振り分けゲートＧ３を右側（時計方向）に回動し、紙幣Ｂが施封部４のある図示矢印Ａ４０の方向に搬送されるようにする。また、それ以外の券種の紙幣Ｂは、ゲートＧ３からゲートＧ４〜Ｇ８を経由して収納庫６０〜６５に収納するように振り分ける。
【００３１】
施封部４は、紙幣Ｂを集積する集積部と、集積された紙幣を搬送する搬送部と、搬送された紙幣を印刷された紙帯で施封する紙帯部とで構成される。以下、図６を参照して施封部４の各部構成について説明する。
【００３２】
集積部は、搬送される紙幣Ｂを計数し１００枚毎に区分して集積する第１集積部４０１及び第２集積部４０４とで構成される。
【００３３】
搬送部は、縦搬送路、搬送キャリア４０７、及び横搬送路４１１から構成される。縦搬送路は、バックアッププレート４０３、４０６で受けた１００枚紙幣４１２を、上昇又は下降するための第１縦搬送路４０２及び第２縦搬送路４０５で構成される。また、搬送キャリア４０７は、第１縦搬送路４０２の停止位置でバックアッププレート４０３、４０６から１００枚紙幣４１２を受け、施封トレイ４１３に渡すために横搬送路４１１上を往復移動することができるように構成される。
【００３４】
紙帯部は、施封トレイ４１３に積載された１００枚紙幣４１２を施封するための紙帯４０８と、紙帯４０８にカラー印刷するための印刷部４０９と、１００枚紙幣４１２を印刷済み紙帯で施封する帯巻き部４１０、及び施封部４を制御する施封制御部４００とで構成される。
【００３５】
次に、施封動作の処理の手順を説明する。図３は、本発明の施封動作の手順を示すフローチャートである。このフローチャートにおいて、紙幣Ｂの搬送を制御する部分は図２に示す搬送制御部３０によって処理され、施封部４を制御する部分は図１に示す施封制御部４００によって処理される。
【００３６】
ここで、紙幣Ｂが紙幣処理装置に供給されてから、主制御部５１で施封するように指定された券種は施封部４に搬送され、それ以外の券種はリジェクト集積部８０か、又は収納庫６０〜６５に収納される。なお、これら紙幣Ｂの搬送処理は搬送制御部３０で制御されるが、振り分けゲートＧ３が右側に回動し施封部４に搬送された紙幣Ｂは、施封制御部４００によって制御される。以下に、これらの処理手順を説明する。
【００３７】
複数の券種が混在した紙幣Ｂが操作員によって供給部１０に供給されると、供給された紙幣Ｂは取り出しローラ１４によって１枚ずつ取り出され搬送路１６に供給される。供給された紙幣Ｂは、搬送ピッチ補正部２に搬送される（ステップＳ１）。
【００３８】
搬送ピッチ補正部２は、搬送ピッチ補正を行う。搬送ピッチ補正とは、連続して搬送される紙幣Ｂの間隔を所定値内に保つために、先に搬送された紙幣Ｂの先端と直後に搬送された紙幣Ｂの先端の間隔が規定値を超えた場合に、その間隔を補正する。
【００３９】
すなわち、タイミングセンサＳＣ１を用いて紙幣Ｂと次に取り出された紙幣Ｂの搬送ピッチが計測され、設定値を超えるピッチ詰まり又はピッチ遅れが発生した場合、搬送ピッチ制御部（図示なし）に基づき搬送ローラ駆動モータ２０２によって搬送ローラ２０１の回転速度が可変されて、次に取り出された紙幣Ｂのピッチ詰まり又はピッチ遅れが補正される（ステップＳ２）。搬送ピッチが補正された紙幣Ｂは紙幣判別装置１９に送られる。
【００４０】
紙幣判別装置１９は、紙幣判別部２０によって搬送される紙幣Ｂの券種、搬送方向、真偽及び正損の紙幣判別を行う（ステップＳ３）。
【００４１】
搬送制御部３０は、紙幣判別の結果、偽券又は破損券と判別された場合、そのリジェクト紙幣Ｂをリジェクト集積部８０に集積するために、振り分けゲートＧ１を右側に回動する（ステップＳ４）。この結果、リジェクト紙幣Ｂは、振り分けゲートＧ１を通過しリジェクト集積部８０に集積される（ステップＳ５）。
【００４２】
また、紙幣判別の結果、真券（正券又は損券）と判別された場合、その紙幣Ｂの表裏又は正逆を主制御部５１によって指定された搬送方向に取り揃える『表裏正逆取り揃え』サブルーチン処理を行う（ステップＳ６）。
【００４３】
図４は、『表裏正逆取り揃え』のサブルーチンを示す。主制御部５１による集積又は収納時の搬送方向指定が、１方向取り揃え指定であるのか、表裏取り揃え指定であるのかを判別する（ステップＳ２３）。
【００４４】
１方向取り揃え指定の場合は、紙幣判別装置１９による当該紙幣Ｂの紙幣判別の結果により、スイッチバック反転部３及び表裏反転部４５を動作させて、図５に基づくスイッチバック反転処理及び表裏反転処理を行う（ステップＳ２４）。
【００４５】
例えば、表正ＦＦ方向に揃える場合は、搬送方向が以下のように変換される。
【００４６】
供給される搬送方向：  表正ＦＦ→何もしない
供給される搬送方向：  表逆ＦＲ→Ａ処理＋Ｂ処理
供給される搬送方向：  裏正ＢＦ→Ｂ処理
供給される搬送方向：  裏逆ＢＲ→Ａ処理
Ａ処理：スイッチバック反転部３によるスイッチバック反転処理。
【００４７】
Ｂ処理：表裏反転部４５による表裏反転処理。
【００４８】
Ａ処理＋Ｂ処理：Ａ処理とＢ処理の両方の処理を行う。
【００４９】
また、表裏取り揃え指定の場合は、紙幣判別装置１９による当該紙幣Ｂの紙幣判別の結果が表搬送（表正ＦＦ、表逆ＦＲ）の場合は、何の処理も行わず処理を終了する（ステップＳ２５のＹｅｓ）。一方、紙幣判別の結果が裏搬送（裏正ＢＦ、裏逆ＢＲ）の場合は、表裏反転部４５を通過させて紙幣の表裏を反転する表裏反転処理（Ｂ処理）を行う（ステップＳ２６）。この場合、搬送方向が以下のように変換される。
【００５０】
（表裏反転部４５による表裏反転処理）
供給される搬送方向：表正ＦＦ→何もしない
供給される搬送方向：表逆ＦＲ→何もしない
供給される搬送方向：裏正ＢＦ→表正ＦＦ
供給される搬送方向：裏逆ＢＲ→表逆ＦＲ
以上の処理によって、搬送方向の揃った紙幣Ｂは図３に戻り、ステップＳ７以降の施封処理が行われる。
【００５１】
『表裏正逆取り揃え』サブルーチン処理を終了し、搬送方向の揃った紙幣Ｂが施封用券種であるかどうかが判別される（ステップＳ７）。
【００５２】
ステップＳ７の判別の結果、施封用券種以外の場合、搬送制御部３０は振り分けゲートＧ３を左側（反時計方向）に回動し、更に振り分けゲートＧ４〜Ｇ８を回動して、紙幣Ｂを券種毎に指定された収納庫６０〜６５のいずれかに収納する（ステップＳ８〜Ｓ９）。
【００５３】
ステップＳ７の判別の結果、施封用券種の場合、施封処理を行うため、振り分けゲートＧ３及びＧ１２を初期状態に設定する。すなわち、振り分けゲートＧ３を右側（時計方向）に回動して紙幣Ｂが施封部４に搬送されるように設定し、かつ、振り分けゲートＧ１２を左側に回動（反時計方向）して施封部４の第１集積部４０１に紙幣Ｂが集積されるように設定する（ステップＳ１０）。また、この処理と並行して施封用券種の紙帯印刷が開始される（ステップＳ１１）。
【００５４】
ここで、紙帯４０８について説明をする。紙帯４０８は、表面にカラー印刷が可能で、裏面は熱接着が可能なロール紙で構成され、図６に示す回転可能なロール紙ホルダ４０８ａにセットされている。
【００５５】
ステップＳ７で施封用券種の紙幣Ｂが検出されると、印刷部４０９は、その券種を区別できるようにするため、例えば模様、券種、正券／損券、合計金額、銀行名等の施封用券種属性（施封された状態の紙幣を識別するための事項）をインクジェット方式によって紙帯４０８に印刷すると共に、紙帯４０８全体を券種に応じた色にカラー印刷する。
【００５６】
図６は、施封装置の動作を説明する図である。以下のステップでは、この図６を参照して施封装置４の動作について説明を行う。
【００５７】
施封制御部４００は、施封装置４の第１集積部４０１に積載された紙幣Ｂが１００枚に到達したかどうか判別する（ステップＳ１２）。ステップＳ１２の判別の結果、１００枚に到達していない場合は１００枚になるまで待機する（ステップＳ１２のＮｏ）。
【００５８】
このようにして、第１集積部４０１の紙幣Ｂが１００枚に到達すれば、継続して搬送される紙幣Ｂを第２集積部４０４に集積するため、振り分けゲートＧ１２を右側に回動する（ステップＳ１６）。また、第１集積部４０１の１００枚に到達した紙幣Ｂは、帯巻き処理ルーチンで施封される（ステップＳ１３〜Ｓ１５）。
【００５９】
即ち、帯巻き処理ルーチンでは、１００枚に到達した紙幣（１００枚紙幣４１２）をバックアッププレート４０３と紙幣ホルダ（図示なし）で挟み込み（紙幣抑え機構）、第１縦搬送路４０２を図示矢印Ａ４１の方向の下方停止位置まで下降させる（ステップＳ１３）。
【００６０】
次に、バックアッププレート４０３と紙幣ホルダで挟み込んで第１縦搬送路４０２の停止位置まで下降した１００枚紙幣４１２を搬送キャリア４０７に移す。
【００６１】
更に、１００枚紙幣４１２を積載した搬送キャリア４０７は、横搬送路４１１を図示矢印Ａ４４の方向に搬送され、１００枚紙幣４１２を施封トレイ４１３に受け渡す（ステップＳ１４）。
【００６２】
空になった搬送キャリア４０７は、次の１００枚紙幣を搬送するために例えば第２縦搬送路４０５の下部停止位置で待機する。
【００６３】
次に、施封トレイ４１３の１００枚紙幣４１２は、紙巻き部４１０で１００枚紙幣４１２を一塊りとして、ステップＳ１１で紙帯印刷の終了した紙帯４０８によって帯巻きされる（ステップＳ１５）。このようにして、カラー印刷された紙帯によって施封された１００枚紙幣４１２は施封装置４から放出される（ステップＳ２２）。
【００６４】
次に、第２集積部４０４の動作を説明する。
【００６５】
施封制御部４００は、ステップＳ１２と同様に施封装置の第２集積部４０４の紙幣Ｂが１００枚に到達したかどうか判別する（ステップＳ１７）。ステップＳ１７の判別の結果、１００枚に到達していない場合は１００枚になるまで待機する（ステップＳ１７のＮｏ）。
【００６６】
このようにして、第２集積部４０４の紙幣Ｂが１００枚に到達すれば、継続して搬送される紙幣Ｂを第１集積部４０１に集積するため、振り分けゲートＧ１２を左側に回動する（ステップＳ２１）。また、第２集積部４０４の１００枚に到達した紙幣Ｂは、帯巻き処理ルーチンで施封される（ステップＳ１８〜Ｓ２０）。
【００６７】
帯巻き処理ルーチンでは、ステップＳ１３と同様、１００枚に到達した１００枚紙幣４１２をバックアッププレート４０６と紙幣ホルダ（図示なし）で挟み込み第２縦搬送路４０５を図示矢印Ａ４３の方向の停止位置まで下降させる（ステップＳ１８）。
【００６８】
次に、ステップＳ１４と同様、バックアッププレート４０６と紙幣ホルダで挟み込んで（紙幣抑え機構）第２縦搬送路４０５の停止位置に下降した１００枚紙幣４１２を搬送キャリア４０７に移す。
【００６９】
更に、１００枚紙幣４１２を積載した搬送キャリア４０７は、横搬送路４１１を図示矢印Ａ４４の方向に搬送され、１００枚紙幣４１２を施封トレイ４１３に受け渡す（ステップＳ１９）。
【００７０】
空になった搬送キャリア４０７は、次の１００枚紙幣を搬送するために例えば第１縦搬送路４０２の下部停止位置で待機する。
【００７１】
次に、ステップＳ１５と同様、施封トレイ４１３の１００枚紙幣４１２は、紙巻き部４１０で１００枚紙幣４１２を一塊りとして、ステップＳ１１で紙帯印刷の終了した紙帯４０８によって帯巻きされる。
【００７２】
このようにして、カラー印刷された紙帯によって施封された１００枚紙幣４１２は施封装置４から放出される（ステップＳ２２）。
【００７３】
上記実施例では、印刷部４０９の印刷方法としてインクジェット方式を用いて説明したが、このインクジェット方式に限定されず、他の熱転写方式でも適用可能である。
【００７４】
以上説明したように、上記実施の形態によれば、指定枚数毎に区分した紙幣を、券種の属性を印刷した紙帯で自動的に施封するため、取り扱う券種によって紙帯をセットする煩わしさがなく、かつ、紙帯を間違えてセットすることがない紙幣処理装置を提供することができる。
【図面の簡単な説明】
【００７５】
【図１】本発明の実施例の紙幣処理装置の概略断面図。
【図２】紙幣判別装置及び主制御部の構成を示すブロック図。
【図３】施封動作の手順を示すフローチャート。
【図４】施封動作の手順を示すフローチャートの表裏正逆取り揃えサブルーチン。
【図５】スイッチバック反転処理及び表裏反転処理による搬送方向の変化を説明する図。
【図６】施封部の動作を説明する図。
【符号の説明】
【００７６】
Ｂ、  紙幣
Ｇ１〜Ｇ８  振分ゲート
Ｇ１０、Ｇ１１、Ｇ１２、Ｇ１３  振り分けゲート
１  紙幣処理部
２  搬送ピッチ補正部
３  スイッチバック反転部
４  施封部
１０  供給部
１１  ステージ
１２  バックアッププレート
１３  バネ
１４  取出ローラ
１５  搬送ローラ
１６  搬送路
１９  紙幣判別装置
２０  紙幣判別部
３０  搬送制御部
４１、４２、４３  搬送ベルト
４５  表裏反転部
５０  インターフェース
５１  主制御部
６０〜６５  収納庫
８０  リジェクト集積部
２００  ピンチローラ
２０１  搬送ローラ
２０２  搬送ローラ駆動モータ
３０４  逆転ローラ
３１０  逆転ローラ駆動モータ
３１１  反転部
４００  施封制御部
４０１  第１集積部
４０２  第１縦搬送路
４０３、４０６  バックアッププレート
４０４  第２集積部
４０５  第２縦搬送路
４０７  搬送キャリア
４０８  紙帯
４０９  印刷部
４１０  帯巻き部
４１１  横搬送路
４１２  １００枚紙幣
４１３  施封トレイ
【図１】
2005096896.tif 000003
【図２】
2005096896.tif 000004
【図３】
2005096896.tif 000005
【図４】
2005096896.tif 000006
【図５】
2005096896.tif 000007
【図６】
2005096896.tif 000008